(57)【要約】【課題】画像形成装置のワーキングテーブルに設けた付属装置が、装置本体の排気口から放出される熱の影響により温度上昇することを抑制する。【解決手段】画像形成装置１は装置本体１ａの側面に棚状に取り付けられたワーキングテーブル１０を備え、そのワーキングテーブル１０の下方には装置本体１ａの内部の熱を放出する排気口７を有している。ワーキングテーブル１０は、装置本体１ａに対して電気的に接続される付属装置９を備えており、その付属装置９の下部には断熱部材１２が設けられる。【選択図】図１
2009288398.tif 000002
【特許請求の範囲】
【請求項１】
装置本体の側面に棚状に取り付けられたワーキングテーブルを備え、前記ワーキングテーブルの下方に装置本体内部の熱を放出する排気口を有する画像形成装置において、
前記ワーキングテーブルは、
装置本体に対して電気的に接続される付属装置と、
前記付属装置の下部に設けられる断熱部材と、
を備えることを特徴とする画像形成装置。
【請求項２】
前記付属装置は、前記ワーキングテーブルに対して着脱自在に取り付けられることを特徴とする請求項１記載の画像形成装置。
【請求項３】
前記付属装置は、前記ワーキングテーブルの正面側に設けられることを特徴とする請求項１又は２記載の画像形成装置。
【請求項４】
前記付属装置は、その上部に開閉可能な蓋部材を備えており、前記蓋部材を閉じたときには前記蓋部材の上面が前記ワーキングテーブルの上面と略面一となることを特徴とする請求項１乃至３のいずれかに記載の画像形成装置。
【請求項５】
前記付属装置は、前記ワーキングテーブルの側面に設けられることを特徴とする請求項１又は２記載の画像形成装置。
【請求項６】
前記ワーキングテーブルは、
前記排気口の上方で装置本体に固定されるテーブル本体と、
前記テーブル本体に支持され、前記テーブル本体に収納された状態と、前記テーブル本体から引き出した状態とに移動可能であり、前記テーブル本体から引き出した状態において前記排気口の上方から離れた位置となるサブテーブルと、
を備え、
前記付属装置は前記サブテーブルに設けられると共に、前記断熱部材は前記テーブル本体に設けられることを特徴とする請求項１乃至５のいずれかに記載の画像形成装置。
【請求項７】
装置本体の側面に棚状に取り付けられたワーキングテーブルを備え、前記ワーキングテーブルの下方に装置本体内部の熱を放出する排気口を有する画像形成装置において、
前記ワーキングテーブルは、装置本体に対して電気的に接続される付属装置を備えており、前記付属装置は、前記ワーキングテーブルにおいて前記排気口の上方から離れた位置に設けられることを特徴とする画像形成装置。
【請求項８】
前記ワーキングテーブルは、
前記排気口の上方で装置本体に固定されるテーブル本体と、
前記テーブル本体に支持され、前記テーブル本体に収納された状態と、前記テーブル本体から引き出した状態とに移動可能であり、前記テーブル本体から引き出した状態において前記排気口の上方から離れた位置となるサブテーブルと、
を備え、
前記付属装置は前記サブテーブルに設けられることを特徴とする請求項７記載の画像形成装置。
【請求項９】
画像形成装置の装置本体内部の熱を放出する排気口の上方で、前記装置本体に対して棚状に取り付けられる画像形成装置のワーキングテーブルであって、
装置本体に対して電気的に接続される付属装置と、
前記付属装置の下部に設けられる断熱部材と、
を備えることを特徴とする画像形成装置のワーキングテーブル。
【請求項１０】
前記排気口の上方で装置本体に固定されるテーブル本体と、
前記テーブル本体に支持され、前記テーブル本体に収納された状態と、前記テーブル本体から引き出した状態とに移動可能であり、前記テーブル本体から引き出した状態において前記排気口の上方から離れた位置となるサブテーブルと、
をさらに備え、
前記付属装置は前記サブテーブルに設けられると共に、前記断熱部材は前記テーブル本体に設けられることを特徴とする請求項９記載の画像形成装置のワーキングテーブル。
【発明の詳細な説明】
【技術分野】
【０００１】
本発明は、装置本体に対してワーキングテーブルが棚状に取り付けられた画像形成装置及びそのワーキングテーブルに関する。
【背景技術】
【０００２】
従来、複写機などの画像形成装置において、装置本体の側面にワーキングテーブルを備えたものが公知である（例えば、特許文献１及び２）。画像形成装置にワーキングテーブルを設けることにより、原稿などを一時的にワーキングテーブル上に載置しておくことができるようになり、ユーザが画像形成装置を使用する際の利便性が良くなる。また画像形成装置は、装置本体の内部で発生する熱を外部に放出するための排気口を有しており、装置本体の側面にワーキングテーブルを設置する場合、熱を放出する排気口はワーキングテーブルの下方に位置している（例えば、特許文献３）。
【０００３】
ところで、近年、この種の画像形成装置は、複合機やＭＦＰ（Multi Function Peripheral）などと呼ばれるように複数の機能を備えると共に、ネットワーク環境で使用されるようになっている。このような状況の下、画像形成装置に接続される付属装置は近年増加の傾向にあり、例えば、画像形成装置にセキュリティ機能を付与するためにユーザの手の指から指紋などの生体情報を読み取る生体情報読取装置や、課金機能を付与するためにＩＣカードからユーザ情報を読み取るＩＣカードリーダなどの認証装置が付属装置として設けられるようになっている。
【０００４】
このような付属装置は画像形成装置の正面側に設けられた操作パネルに取り付けると、操作パネルが大型化するという問題があるため、従来は画像形成装置の側面に取り付けられたワーキングテーブル上に設置する形態となっている。
【０００５】
【特許文献１】実開昭５９−６３３６０号公報
【特許文献２】実開平２−１１２６３２号公報
【特許文献３】特開平１０−１４２８７８号公報
【発明の開示】
【発明が解決しようとする課題】
【０００６】
しかしながら、ワーキングテーブルに付属装置を設けた場合、排気口から放出される熱の影響により、付属装置の温度が上昇して付属装置の信頼性が低下するおそれがあり、最悪の場合には付属装置が故障するという問題がある。
【０００７】
そこで本発明は、上記従来の問題点を解決することを目的としてなされたものであり、ワーキングテーブルに設けた付属装置が受ける排気口からの放熱による影響を低減し、付属装置が温度上昇することを抑制した画像形成装置及び画像形成装置のワーキングテーブルを提供するものである。
【課題を解決するための手段】
【０００８】
上記目的を達成するため、請求項１にかかる発明は、装置本体の側面に棚状に取り付けられたワーキングテーブルを備え、前記ワーキングテーブルの下方に装置本体内部の熱を放出する排気口を有する画像形成装置において、前記ワーキングテーブルは、装置本体に対して電気的に接続される付属装置と、前記付属装置の下部に設けられる断熱部材と、を備えることを特徴としている。
【０００９】
かかる構成によれば、ワーキングテーブルには装置本体に対して電気的に接続される付属装置が設けられ、さらにその付属装置の下部に断熱部材が設けられるので、ワーキングテーブル下方の排気口から放出される熱の影響が断熱部材によって遮られ、付属装置が温度上昇することを防止する。
【００１０】
請求項２にかかる発明は、請求項１記載の画像形成装置において、前記付属装置は、前記ワーキングテーブルに対して着脱自在に取り付けられることを特徴としている。かかる構成によれば、必要に応じてワーキングテーブルに付属装置を取り付けることができ、しかもワーキングテーブルに付属装置に取り付けた状態でも断熱部材によって付属装置の温度上昇を防止することができる。
【００１１】
請求項３にかかる発明は、請求項１又は２記載の画像形成装置において、前記付属装置は、前記ワーキングテーブルの正面側に設けられることを特徴としている。かかる構成によれば、ワーキングテーブルに設けられた付属装置を使用しやすくなり、操作性が向上する。
【００１２】
請求項４にかかる発明は、請求項１乃至３のいずれかに記載の画像形成装置において、前記付属装置は、その上部に開閉可能な蓋部材を備えており、前記蓋部材を閉じたときには前記蓋部材の上面が前記ワーキングテーブルの上面と略面一となることを特徴としている。かかる構成によれば、蓋部材を開いた状態とすることにより付属装置を使用することができるようになり、また付属装置の不使用時には蓋部材を閉じた状態としておくことにより、付属装置の上方を含めてワーキングテーブルの上面全体を作業スペースとして利用できるようになる。
【００１３】
請求項５にかかる発明は、請求項１又は２記載の画像形成装置において、前記付属装置は、前記ワーキングテーブルの側面に設けられることを特徴としている。かかる構成によれば、ワーキングテーブルの上面全体を作業スペースとして利用できるようになる。
【００１４】
請求項６にかかる発明は、請求項１乃至５のいずれかに記載の画像形成装置において、前記ワーキングテーブルは、前記排気口の上方で装置本体に固定されるテーブル本体と、前記テーブル本体に支持され、前記テーブル本体に収納された状態と、前記テーブル本体から引き出した状態とに移動可能であり、前記テーブル本体から引き出した状態において前記排気口の上方から離れた位置となるサブテーブルと、を備え、前記付属装置は前記サブテーブルに設けられると共に、前記断熱部材は前記テーブル本体に設けられることを特徴としている。
【００１５】
かかる構成によれば、サブテーブルをテーブル本体に収納した状態では、付属装置の下方に断熱部材が存在するので、ワーキングテーブル下方の排気口から放出される熱の影響は断熱部材によって遮られ、付属装置の温度上昇を防止できると共に、サブテーブルをテーブル本体から引き出した状態では、付属装置は排気口の上方から離れた位置となるので、ワーキングテーブル下方の排気口から放出される熱の影響はなくなり、付属装置の温度上昇を防止できる。
【００１６】
また請求項７にかかる発明は、装置本体の側面に棚状に取り付けられたワーキングテーブルを備え、前記ワーキングテーブルの下方に装置本体内部の熱を放出する排気口を有する画像形成装置において、前記ワーキングテーブルは、装置本体に対して電気的に接続される付属装置を備えており、前記付属装置は、前記ワーキングテーブルにおいて前記排気口の上方から離れた位置に設けられることを特徴としている。
【００１７】
かかる構成によれば、付属装置が排気口の上方から離れた位置に設けられるので、ワーキングテーブル下方の排気口から放出される熱の影響はなくなり、付属装置の温度上昇を防止できる。
【００１８】
請求項８にかかる発明は、請求項７記載の画像形成装置において、前記ワーキングテーブルは、前記排気口の上方で装置本体に固定されるテーブル本体と、前記テーブル本体に支持され、前記テーブル本体に収納された状態と、前記テーブル本体から引き出した状態とに移動可能であり、前記テーブル本体から引き出した状態において前記排気口の上方から離れた位置となるサブテーブルと、を備え、前記付属装置は前記サブテーブルに設けられることを特徴としている。
【００１９】
請求項９にかかる発明は、画像形成装置の装置本体内部の熱を放出する排気口の上方で、前記装置本体に対して棚状に取り付けられる画像形成装置のワーキングテーブルであって、装置本体に対して電気的に接続される付属装置と、前記付属装置の下部に設けられる断熱部材と、を備えることを特徴としている。
【００２０】
かかる構成によれば、断熱部材の作用によって付属装置の温度上昇を防止することができる画像形成装置のワーキングテーブルが実現される。
【００２１】
請求項１０にかかる発明は、請求項９記載の画像形成装置のワーキングテーブルにおいて、前記排気口の上方で装置本体に固定されるテーブル本体と、前記テーブル本体に支持され、前記テーブル本体に収納された状態と、前記テーブル本体から引き出した状態とに移動可能であり、前記テーブル本体から引き出した状態において前記排気口の上方から離れた位置となるサブテーブルと、をさらに備え、前記付属装置は前記サブテーブルに設けられると共に、前記断熱部材は前記テーブル本体に設けられることを特徴としている。
【００２２】
かかる構成においても、サブテーブルをテーブル本体に収納した状態では、付属装置の下方に断熱部材が存在するので、ワーキングテーブル下方の排気口から放出される熱の影響は断熱部材によって遮られ、付属装置の温度上昇を防止できると共に、サブテーブルをテーブル本体から引き出した状態では、付属装置は排気口の上方から離れた位置となるので、ワーキングテーブル下方の排気口から放出される熱の影響はなくなり、付属装置の温度上昇を防止できる。
【発明の効果】
【００２３】
本発明の断熱部材を設けた構成によれば、付属装置の下部に設けられる断熱部材によって排気口から放出される熱の影響が遮られ、付属装置が温度上昇することを抑制することができるようになる。またワーキングテーブルに設ける付属装置を排気口の上方から離れた位置に設けた構成の場合にも、ワーキングテーブル下方の排気口から放出される熱が付属装置に与える影響を低減することができるので、付属装置の温度上昇を抑制できる。したがって、本発明によれば、装置本体から放出される熱の影響によって付属装置の信頼性が低下したり、或いは付属装置が故障したりすることを防止できるようになる。
【発明を実施するための最良の形態】
【００２４】
以下、本発明の好ましい実施形態について図面を参照しつつ詳細に説明する。尚、以下に説明する幾つかの実施形態において互いに共通する部材については同一符号を付しており、それらについて繰り返しとなる説明は省略する。
【００２５】
（第１の実施の形態）
図１は、第１の実施の形態における画像形成装置１の外観構成を示す斜視図である。図１には互いに直交するＸＹＺ座標系を示している。画像形成装置１の前後方向はＸ軸方向に対応し、前方向が−Ｘ方向であり、後方向が＋Ｘ方向である。また上下方向はＹ軸方向に対応し、上方向が＋Ｙ方向であり、下方向が−Ｙ方向である。さらに左右方向はＺ軸に対応し、左方向が＋Ｚ方向であり、右方向が−Ｚ方向である。尚、他の図にＸＹＺ座標系を示している場合も同様である。
【００２６】
図１に示すように、この画像形成装置１は、いわゆる複合機やＭＦＰなどと呼ばれる装置であり、コピー機能、ＦＡＸ機能、プリンタ機能、スキャナ機能など、複数の機能を備えており、例えばＬＡＮなどのネットワークに接続可能であると共に、電話回線などの通信網にも接続可能である。画像形成装置１は、原稿から読み取った画像データをネットワーク経由で他のコンピュータに出力することや、ネットワーク上のコンピュータにアクセスしてそこに保存されている画像データを取得して印刷出力することなどができると共に、通信網を介してＦＡＸデータなどのデータの送受信ができるように構成されている。この画像形成装置１は、装置本体１ａの上部にスキャナ部２ａと自動原稿搬送装置（いわゆるＡＤＦ）２ｂから成る画像読取部２を備えている。また装置本体１ａのほぼ中央内部には画像形成部４が設けられ、さらに装置本体１ａの下部内部には給紙部３が設けられている。
【００２７】
画像読取部２は、原稿を読み取って画像データを生成する画像読取手段である。この画像読取部２は、例えば自動原稿搬送装置２ｂにセットされた複数枚の原稿を１枚ずつスキャナ部２ａに送り、スキャナ部２ａがその原稿を読み取って画像データを出力するように構成されている。尚、図例ではスキャナ部２ａの上に自動原稿搬送装置２ｂを設けた場合を示しているが、自動原稿搬送装置２ｂは特に必須のものではない。
【００２８】
給紙部３は画像形成媒体となる用紙を収容し、画像形成部４に対してその用紙を１枚ずつ供給するように構成される。画像形成部４は、入力する画像データに基づいて画像形成を行う画像形成手段であり、入力する画像データに基づいて給紙部３から供給される用紙に画像形成を行い、プリント出力を行うように構成されている。
【００２９】
画像形成装置１の正面側（前面側）には、ユーザが操作可能な操作パネル５が設けられている。操作パネル５は、ユーザに対して各種情報を表示するタッチパネル式の表示部を備え、その表示部の周囲にユーザが操作可能な複数の操作ボタンを配置した構成である。この操作パネル５は、例えばユーザが右手で操作しやすいように、スキャナ部２ａとほぼ同じ高さ位置で、装置本体１ａ正面の右寄りの位置に設けられている。ユーザはこの操作パネル５を操作することにより、画像形成装置１の複数の機能のうちから使用する機能を選択し、その選択した機能に関する各種の設定操作を行うと共に、画像形成装置１に対してジョブの実行を指示することができるようになっている。
【００３０】
また画像形成装置１は、装置本体１ａの側面（図例の場合、右側面）に対して棚状に取り付けられたワーキングテーブル１０を備えている。ワーキングテーブル１０はその上面が略水平であり、原稿などを一時的に載置することができる作業スペースとなっている。このワーキングテーブル１０は、ユーザが原稿などを載置する際の利便性などを考慮してスキャナ部２ａとほぼ同じ高さ位置に設けられている。またワーキングテーブル１０の正面側の端部（前方端部）には、装置本体１ａに対して電気的に接続される付属装置９が設けられている。付属装置９は、例えばユーザの手の指から指紋や静脈パターンなどの生体情報を読み取る生体情報読取装置２０であり、画像形成装置１においてユーザを認証するために設けられる装置である。付属装置９をワーキングテーブル１０の前方端部に設けることにより、例えばユーザ認証を行うためにユーザが付属装置９に対して行う動作として、腕を大きく伸ばしたり、或いは腕を大きく移動させたりする動作が必要なくなるので操作性が良くなる。
【００３１】
このようなワーキングテーブル１０は、例えば画像形成装置１のオプション部品となっており、画像形成装置１に対して付属装置９を設ける場合に装置本体１ａの側面に対して棚状に取り付けられる。
【００３２】
また画像形成装置１の装置本体１ａにおいて、ワーキングテーブル１０の下方には、装置本体１ａの内部で発生する熱を外部に放出するための排気口７が設けられている。排気口７は、ＪＡＭ処理時などに装置本体１ａの側面を開閉する扉部材６と、ワーキングテーブル１０との間の高さ位置に設けられ、幅数ミリ程度のスリット状の多数の長孔が装置本体１ａの前後方向に沿ってほぼ等間隔で配置された構成となっている。
【００３３】
図２は、画像形成装置１を正面側からみた装置本体１ａの内部構造を示す図である。給紙部３から給紙される用紙は、所定の搬送路４４に沿って画像形成部４に搬送される。図２はカラー画像を形成する画像形成装置１の例を示しており、画像形成部４は、イエロー（Ｙ）、マゼンタ（Ｍ）、シアン（Ｃ）、ブラック（Ｋ）の４色から成るカラー像を中間転写ベルト４１に形成し、搬送路４４を搬送される用紙が転写部４２を通過する際、中間転写ベルト４１のカラー像を用紙に転写する。用紙に転写されたカラー像は、その用紙が定着部４３を通過することで用紙に定着する。この定着部４３では、定着ローラなどを介して用紙を加熱及び加圧することによりカラー像を定着させる。そしてカラー像が定着した用紙は、その後、排出口４６から画像形成部４の上部に設けられた用紙排出部８に排出される。また両面印刷の場合には、一方の面にカラー像の形成された用紙が両面印刷用の搬送路４５を戻ることにより裏返しとなり、再び搬送路４４を通過することによって他方の面にカラー像が形成される。
【００３４】
上記構成により、用紙に対して画像形成を行う場合、装置本体１ａ内部の各部で熱が発生するが、特に発生する熱量の大きな部材は定着部４３である。それ故、排気口７は、定着部４３で発生する熱を効率的に外部に放出できるように定着部４３の近傍かつ上方に設けられている。装置本体１ａの内部で発生する熱は、排気口７を介して図２の矢印Ｆで示すように放出され、その流れ方向は排気口７が形成された装置本体１ａの側面に対して平面視直角で、且つ正面視上向きとなる。そのため、排気口７から放出される比較的高温の空気が排気口７の上方に取り付けられたワーキングテーブル１０の下面に触れる構造となっている。
【００３５】
そして本実施形態では、ワーキングテーブル１０に設けた付属装置９が排気口７から放出される排気熱の影響を受けないようにするため、ワーキングテーブル１０を構成するテーブル本体１１の下部に発泡材などの断熱部材１２を配置している。この断熱部材１２は、付属装置９の下方に配置されていれば良い。そのため、断熱部材１２はテーブル本体１１の底面に貼り付けたものであっても良いし、テーブル本体１１に内側に敷設したものであっても良い。
【００３６】
図３は、画像形成装置１をワーキングテーブル１０が取り付けられた側面からみた図である。本実施形態では、装置本体１ａの前後方向に設けられた排気口７の形成範囲Ｗ内であり、且つその上方にワーキングテーブル１０が取り付けられている。そのため、付属装置９の位置Ｐ１もまた前後方向に関して装置本体１ａから放出される熱の影響を受ける可能性のある排気口７の形成範囲Ｗ内にあるが、本実施形態ではこの付属装置９の下に断熱部材１２が設けられているので、排気口７から放出される熱が付属装置９の温度を上昇させることはない。すなわち、ワーキングテーブル１０に設けた付属装置９はその下方に設けた断熱部材１２によって排気口７から放出される熱の影響を受けることが低減されるので、付属装置９の温度上昇が抑制されるようになっている。それ故、付属装置９の信頼性を維持することができると共に、温度上昇が原因で付属装置９が故障することも防止することができる。
【００３７】
図４は画像形成装置１のワーキングテーブル１０を拡大して示す図である。付属装置９として設けられた生体情報読取装置２０は、テーブル本体１１の前方端部（正面部）１１ａにおいてテーブル本体１１の上面よりも上に突出しないように埋設されている。生体情報読取装置２０は、ユーザ認証時にユーザが手の指を置くために溝状に形成された読取部２０ａを有している。また生体情報読取装置２０は、その後端上部に回動軸２０ｂを備えており、この回動軸２０ｂには図中矢印Ｒ１方向に回動して読取部２０ａの上部を開閉する蓋部材２０ｃが設けられている。そのため、ユーザが生体情報読取装置２０を用いてユーザ認証を行う際には、図４に示すように蓋部材２０ｃを後方側に回動させて読取部２０ａの上部を開放した状態とすることにより、画像形成装置１の正面側から自然な動作で読取部２０ａに指を置くことができるようになる。またこの蓋部材２０ｃは、読取部２０ａの上部を閉じたとき、蓋部材２０ｃの上面がワーキングテーブル１０（テーブル本体１１）の上面と略面一となるように設けられている。したがって、生体情報読取装置２０の不使用時には蓋部材２０ｃを閉じた状態としておくことにより、生体情報読取装置２０の上方を含めてワーキングテーブル１０の上面全体を作業スペースとして利用できるようになる。そして図４に示すように生体情報読取装置２０の下部には上述の断熱部材１２が設けられているため、生体情報読取装置２０は排気口７からの放熱による影響を受けない構造となっている。
【００３８】
またワーキングテーブル１０に設置される付属装置９の態様には、図４に示した態様の他、種々の態様がある。以下、ワーキングテーブル１０に設置される付属装置９に関する種々の態様についていくつか例示する。
【００３９】
次に図５は、図４に示した付属装置９の設置態様とは異なる設置態様の一例を示す図である。この例では、付属装置９として設けられた生体情報読取装置２１は、テーブル本体１１の前方端部（正面部）１１ａと側面部１１ｂのコーナー部に内蔵されている。そしてテーブル本体１１の側壁には開口部１１ｃが設けられており、この開口部１１ｃの内側に生体情報読取装置２１の読取部２１ａが横向きに設置されている。そのため、ユーザが生体情報読取装置２１を用いてユーザ認証を行う際には、ワーキングテーブル１０の開口部１１ｃを介して手の指を読取部２１ａに添わせる動作を行うことになる。このような設置態様の場合、生体情報読取装置２１の使用状態或いは不使用状態にかかわらず、ワーキングテーブル１０の上面全体を作業スペースとして利用できるようになる。そしてこの場合もまた、図５に示すように生体情報読取装置２１の下部には上述の断熱部材１２が設けられるため、生体情報読取装置２１は排気口７からの放熱による影響を受けない構造となっている。
【００４０】
次に図６は、ＩＣカードリーダ２２を付属装置９としてワーキングテーブル１０に設けた場合の一例を示す図である。ＩＣカードリーダ２２は、上述の生体情報読取装置２０，２１と同様にユーザを認証するための認証装置であり、例えばユーザが保持するＩＣカードからユーザ情報を読み取って出力する装置である。図６に示すように、付属装置９として設けられたＩＣカードリーダ２２は、テーブル本体１１の前方端部（正面部）１１ａにおいてテーブル本体１１の上面よりも上に突出しないように埋設されている。ＩＣカードリーダ２２は、読み取り対象となるＩＣカードを置くために平板状に形成された読取部２２ａを有している。またＩＣカードリーダ２２は、その後端上部に回動軸２２ｂを備えており、この回動軸２２ｂには図中矢印Ｒ２方向に回動して読取部２２ａの上部を開閉する蓋部材２２ｃが設けられている。そのため、ユーザがＩＣカードリーダ２２を用いてユーザ認証を行う際には、図６に示すように蓋部材２２ｃを後方側に回動させて読取部２２ａの上部を開放した状態とすることにより、画像形成装置１の正面側から自然な動作でＩＣカードを読取部２２ａに置くことができるようになる。またこの蓋部材２２ｃは、読取部２２ａの上部を閉じたとき、蓋部材２２ｃの上面がワーキングテーブル１０（テーブル本体１１）の上面と略面一となるように設けられている。したがって、ＩＣカードリーダ２２の不使用時には蓋部材２２ｃを閉じた状態としておくことにより、ＩＣカードリーダ２２の上方を含めてワーキングテーブル１０の上面全体を作業スペースとして利用できるようになる。そして図６に示すようにＩＣカードリーダ２２の下部には上述の断熱部材１２が設けられているため、ＩＣカードリーダ２２は排気口７からの放熱による影響を受けない構造となっている。
【００４１】
次に図７は、コピー枚数などをカウントするカウント装置２３を付属装置９としてワーキングテーブル１０に設けた場合の一例を示す図である。カウント装置２３は、着脱可能なカウンタ２４を装着し、その装着されたカウンタ２４のカウント値を画像形成装置１のコピー動作に伴って１ずつインクリメントする装置である。図６に示すように、付属装置９として設けられたカウント装置２３は、テーブル本体１１の側面部１１ｂに埋設されている。カウント装置２３は、カウンタ２４を装着する装着部２３ａを有している。そのため、カウンタ２４をカウント装置２３の装着部２３ａに装着することにより、画像形成装置１においてコピー機能が使用可能な状態になると共に、カウンタ２４のカウント値に応じた課金を行えるようになる。そしてこの例でも、ワーキングテーブル１０の上面全体を作業スペースとして利用できるようになっている。また図７に示すようにカウント装置２３の下部には上述の断熱部材１２が設けられているため、カウント装置２３は排気口７からの放熱による影響を受けない構造となっている。尚、この他、例えば着脱可能なメモリカードを装着してデータの書き込みや読み出しを行うメモリカードリーダライタなどを付属装置９として設ける場合にも図７と同様の構成となる。
【００４２】
次に図８は、付属装置９を予めワーキングテーブル１０に内蔵するのではなく、必要に応じてワーキングテーブル１０に着脱することができる構成例を示す図である。このワーキングテーブル１０は、テーブル本体１１の前方端部（正面部）１１ａの一部に付属装置９を装着する装着部１１ｄが設けられており、この装着部１１ｄの奥端部には、付属装置９を装着したときに付属装置９と電気的に接続するコネクタ部１１ｅが設けられている。通常、この装着部１１ｄは着脱可能な蓋部材２５で閉塞されており、装着部１１ｄに付属装置９を装着するときに蓋部材２５を外して装着する。装着部１１ｄに装着する付属装置９は、例えば生体情報読取装置２６として構成され、ユーザ認証時にユーザが手の指を置くために溝状に形成された読取部２６ａを有している。またこの生体情報読取装置２６の背面側には、上述のコネクタ部１１ｅと接合する図示しないコネクタが設けられている。このような生体情報読取装置２６を装着部１１ｄに装着した態様は、図４に示した態様とほぼ同様である。そしてこの場合もまた、ワーキングテーブル１０に装着された生体情報読取装置２６の下部には上述の断熱部材１２が設けられているため、生体情報読取装置２６は排気口７からの放熱による影響を受けない構造となっている。このように付属装置９をワーキングテーブル１０に対して着脱可能な構成とすることにより、ワーキングテーブル１０を交換することなく、付属装置９のみを交換することが可能になる。
【００４３】
以上のように本実施形態の画像形成装置１は、装置本体１ａの側面にワーキングテーブル１０が棚状に取り付けられ、そのワーキングテーブル１０の下方に装置本体１ａ内部の熱を放出する排気口７を有する構成であり、ワーキングテーブル１０には装置本体１ａに対して電気的に接続される付属装置９が設けられ、さらにその付属装置９の下部に断熱部材１２が設けられている。そのため、ワーキングテーブル１０の下方の排気口７から放出される熱は、断熱部材１２によって遮断され、付属装置９には何ら影響を与えないので、付属装置９の温度上昇を良好に防止することができる。
【００４４】
尚、本実施形態ではワーキングテーブル１０のテーブル本体１１の下部全体に断熱部材１２を配置した場合の構成例を示したが、断熱部材１２は少なくともワーキングテーブル１０に設置する付属装置９の下方に設けられていれば良く、必ずしもテーブル本体１１の下部全体に設ける必要はない。
【００４５】
（第２の実施の形態）
次に第２の実施の形態について説明する。図９は、第２の実施の形態における画像形成装置１の外観構成を示す斜視図である。本実施形態の画像形成装置１が、第１の実施の形態と異なる点はワーキングテーブル１０の構成である。本実施形態のワーキングテーブル１０は、装置本体１ａの側面に固定されるテーブル本体１１と、テーブル本体１１に支持されたサブテーブル１４とを備えている。そしてサブテーブル１４は、テーブル本体１１に対してＸ軸と平行なＳ方向（前後方向）にスライドして、テーブル本体１１に収納された状態と、テーブル本体１１から引き出された状態とに移動可能なように設けられている。テーブル本体１１の上面及びサブテーブル１４の上面はほぼ平坦であり、原稿などを一時的載置するための作業スペースとして利用することが可能である。
【００４６】
図１０は、本実施形態における画像形成装置１の上部を拡大した図であり、（Ａ）はサブテーブル１４をテーブル本体１１から引き出した状態を示しており、（Ｂ）はサブテーブル１４をテーブル本体１１に収納した状態を示している。図１０（Ａ）に示すように、サブテーブル１４の前方端部には、装置本体１ａに接続される付属装置９として、生体情報読取装置２０とＩＣカードリーダ２２との２つの装置が設けられている。これら付属装置９は、サブテーブル１４の上面よりも上に突出しないようにサブテーブル１４の前端部に埋設されている。尚、図例では、付属装置９として、生体情報読取装置２０とＩＣカードリーダ２２の双方をサブテーブル１４の前方端部に設けた場合を例示しているが、これらのうちいずれか一方のみを設けた構成としても良い。また生体情報読取装置２０とＩＣカードリーダ２２以外の付属装置９であって、画像形成装置１を使用するときにユーザが操作する必要のある装置をサブテーブル１４の前方端部に設けても良い。
【００４７】
図１０（Ａ）に示すようにサブテーブル１４をテーブル本体１１から引き出した状態は、サブテーブル１４の前方端部に付属装置９として設けられた生体情報読取装置２０やＩＣカードリーダ２２をユーザが使用可能とした状態である。この状態では、生体情報読取装置２０及びＩＣカードリーダ２２が、テーブル本体１１の前端部よりも更に前方側に位置し、本実施形態では操作パネル５の右横で、操作パネル５の近傍に位置する状態となる。そのため、サブテーブル１４をテーブル本体１１から引き出して生体情報読取装置２０及びＩＣカードリーダ２２を使用可能な状態としたときには、ユーザが画像形成装置１を使用する際、生体情報読取装置２０又はＩＣカードリーダ２２と、操作パネル５との間の腕の移動距離を小さくすることができるので操作性が向上する。またこのとき、ユーザはテーブル本体１１の上面とサブテーブル１４の上面の双方を作業スペースとして利用できるので、ワーキングテーブル１０としての利便性も向上する。
【００４８】
またワーキングテーブル１０のテーブル本体１１は、その後方端部に付属装置９として設けられたＵＳＢハブ２５を備えている。ＵＳＢハブ２５は、ＵＳＢコネクタを備えた様々な付属装置を接続するための集線装置である。ＵＳＢハブ２５は、画像形成装置１を使用する際、ユーザがこれに対して何らかの操作を行うものではないので、本実施形態ではワーキングテーブル１０の後端部に設けられている。ワーキングテーブル１０の後端部にＵＳＢハブ２５を設けることにより、他の様々な付属装置を画像形成装置１に接続して使用することができるようになり、それら付属装置をＵＳＢハブ２５の前方側に設置することができる。
【００４９】
一方、前方側に引き出したサブテーブル１４が邪魔になるような場合には、サブテーブル１４を前方側からテーブル本体１１に向けて押し込むことにより、サブテーブル１４は図１０（Ｂ）に示すようにテーブル本体１１の内側に収納された状態となる。このとき、サブテーブル１４の前端部はテーブル本体１１の前端部とほぼ面一の位置まで後退し、サブテーブル１４に設けられた付属装置９もテーブル本体１１の内側に収納された状態となる。
【００５０】
そして本実施形態では、ワーキングテーブル１０に設けた付属装置９が排気口７から放出される排気熱の影響を受けないようにするため、ワーキングテーブル１０を構成するテーブル本体１１の下部に発泡材などの断熱部材１２を配置している。この断熱部材１２はテーブル本体１１の底面に貼り付けたものであっても良いし、テーブル本体１１に内側に敷設したものであっても良い。
【００５１】
図１１は、本実施形態の画像形成装置１をワーキングテーブル１０が取り付けられた側面からみた図である。本実施形態では、装置本体１ａの前後方向に設けられた排気口７の形成範囲Ｗ内で、且つその上方にワーキングテーブル１０のテーブル本体１１が取り付けられている。そのため、サブテーブル１４をテーブル本体１１に収納したとき、サブテーブル１４に設けた付属装置９は、前後方向に関して排気口７の形成範囲Ｗ内に移動することになるが、この状態では、テーブル本体１１に設けた断熱部材１２が付属装置９の下方に位置するので、排気口７から放出される熱が付属装置９の温度を上昇させることはない。
【００５２】
またサブテーブル１４をテーブル本体１１から引き出したときには、サブテーブル１４に設けた付属装置９は操作パネル５の近傍まで移動する。この状態では、図１１に示すようにサブテーブル１４に設けた付属装置９の位置Ｐ２が、画像形成装置１の前後方向に関して装置本体１ａから放出される熱の影響を受ける可能性のある排気口７の形成範囲Ｗの外側となり、排気口７の上方から離れた位置となる。そのため、サブテーブル１４をテーブル本体１１から引き出して付属装置９を使用可能な状態としたときにも、サブテーブル１４に設けた付属装置９が排気口７から放出される熱の影響を受けることはなく、付属装置９の温度上昇を防止することができる。
【００５３】
またテーブル本体１１の後端部に設けた付属装置９（ＵＳＢハブ）の下方にも断熱部材１２が配置されているので、この付属装置９が排気口７から放出される熱によって温度上昇することもない。
【００５４】
このように本実施形態の画像形成装置１は、ワーキングテーブル１０がテーブル本体１１に収納された状態とテーブル本体１１から引き出した状態とに移動可能なサブテーブル１４を備えており、サブテーブル１４をテーブル本体１１から引き出した状態において付属装置９が排気口７の上方から離れた位置となるように構成されている。またテーブル本体１１には断熱部材１２が設けられている。そのため、サブテーブル１４に設けられた付属装置９はテーブル本体１１に収納された状態とテーブル本体１１から引き出された状態のいずれにおいても排気口７から放出される熱の影響を受けることがない構成であり、またテーブル本体１１に設けられた付属装置９も排気口７から放出される熱の影響を受けることがない構成である。
【００５５】
尚、本実施形態でもワーキングテーブル１０のテーブル本体１１の下部全体に断熱部材１２を配置した場合の構成例を示したが、断熱部材１２はサブテーブル１４を収納したときに少なくともワーキングテーブル１０に設置する付属装置９の下方に設けられていれば良く、必ずしもテーブル本体１１の下部全体に設ける必要はない。またテーブル本体１１の後端部に付属装置９となるＵＳＢハブ２５を設けない場合には、必ずしもテーブル本体１１に断熱部材１２を設ける必要はなく、サブテーブル１４に断熱部材１２を設けても良い。
【００５６】
（第３の実施の形態）
次に第３の実施の形態について説明する。図１２は、第３の実施の形態における画像形成装置１をワーキングテーブル１０が取り付けられた側面からみた図である。本実施形態においてワーキングテーブル１０は、装置本体１ａの前後方向に関して排気口７の形成範囲Ｗの外側に延設されている。図例の場合、ワーキングテーブル１０のテーブル本体１１の前方端部が排気口７の形成範囲Ｗよりも更に前方側に位置するように装置本体１ａの側面に取り付けられている。そして装置本体１ａに対して電気的に接続される付属装置９は、このテーブル本体１１の前方端部に設けられており、その位置Ｐ３は排気口７の形成範囲Ｗの外側であり、排気口７の上方から離れた位置となっている。そのため、本実施形態では付属装置９の下方に断熱部材１２を設ける必要がない。
【００５７】
このように本実施形態では、ワーキングテーブル１０の前方端部に設けられる付属装置９が排気口７の上方から離れた位置に設けられるので、排気口７から放出される熱の影響を受けることがなく、付属装置９の温度上昇を抑制することができる。
【００５８】
また第２の実施の形態のようにテーブル本体１１に対して移動可能なサブテーブル１４を設ける場合においても、サブテーブル１４がテーブル本体１１に収納された状態で、サブテーブル１４に設けられた付属装置９が排気口７の上方から離れた位置となるようにテーブル本体１１の取り付け位置を図１２に示すように定めることでテーブル本体１１には断熱部材１２を設ける必要がなくなる。そのため、部品コストを抑えつつ、付属装置９の温度上昇を抑制することができるようになる。
【００５９】
尚、本実施形態の場合には、排気口７を構成するスリット状の多数の長孔のそれぞれに対して、装置本体１ａ内部の熱を外部に放出するときの空気の流れ方向を装置本体１ａの後方側に向けるようにする整流板などの流れ方向規制手段を設け、付属装置９が設けられたワーキングテーブル１０の前方端部側に比較的高温の空気が流れない構成とすることがより好ましい。
【００６０】
（変形例）
以上、本発明に関する幾つかの実施の形態について説明したが、本発明は上述した内容のものに限定されるものではない。
【００６１】
例えば、上述の各実施形態では、画像形成装置１が、コピー機能、ＦＡＸ機能、プリンタ機能、スキャナ機能などの複数の機能を備えた装置である場合を例示したが、本発明では必ずしも複数の機能を備えている必要はなく、上述した複数の機能のうちの少なくとも１つの機能を備えていれば良い。
【００６２】
またその他にも、上述した各実施形態に対し、本発明の範囲内において種々の変形例が適用可能であることは言うまでもない。
【図面の簡単な説明】
【００６３】
【図１】第１の実施の形態における画像形成装置の外観構成の一例を示す斜視図である。
【図２】画像形成装置を正面側からみた装置本体の内部構造の一例を示す図である。
【図３】第１の実施の形態の画像形成装置をワーキングテーブルが取り付けられた側面からみた図である。
【図４】画像形成装置のワーキングテーブルの一構成例を示す拡大図である。
【図５】付属装置の設置態様が図４とは異なる画像形成装置のワーキングテーブルの一構成例を示す拡大図である。
【図６】ＩＣカードリーダを付属装置としてワーキングテーブルに設けた場合の一例を示す図である。
【図７】カウント装置を付属装置としてワーキングテーブルに設けた場合の一例を示す図である。
【図８】付属装置を必要に応じてワーキングテーブルに着脱することができる一構成例を示す図である。
【図９】第２の実施の形態における画像形成装置の外観構成の一例を示す斜視図である。
【図１０】第２の実施の形態における画像形成装置の上部を拡大した図であり、（Ａ）はサブテーブルをテーブル本体から引き出した状態を、（Ｂ）はサブテーブルをテーブル本体に収納した状態を示す図である。
【図１１】第１の実施の形態の画像形成装置をワーキングテーブルが取り付けられた側面からみた図である。
【図１２】第３の実施の形態における画像形成装置をワーキングテーブルが取り付けられた側面からみた図である。
【符号の説明】
【００６４】
１  画像形成装置
１ａ  装置本体
７  排気口
９  付属装置
１０  ワーキングテーブル
１１  テーブル本体
１２  断熱部材
１４  サブテーブル
２０  生体情報読取装置（付属装置）
２０ｃ  蓋部材
２１  生体情報読取装置（付属装置）
２２  ＩＣカードリーダ（付属装置)
２２ｃ  蓋部材
２３  カウント装置（付属装置）
２６  生体情報読取装置（付属装置）
【図１】
2009288398.tif 000003
【図２】
2009288398.tif 000004
【図３】
2009288398.tif 000005
【図４】
2009288398.tif 000006
【図５】
2009288398.tif 000007
【図６】
2009288398.tif 000008
【図７】
2009288398.tif 000009
【図８】
2009288398.tif 000010
【図９】
2009288398.tif 000011
【図１０】
2009288398.tif 000012
【図１１】
2009288398.tif 000013
【図１２】
2009288398.tif 000014